(57)【要約】    【課題】撮影用機材の配置状態の記録を撮影と同時に行うことができ、記録の手間を省くことができる撮影システムを提供する。    【解決手段】被写体３１を撮影する前に、ストロボ３４〜３７の各々と発信器３８から送信される無線信号をＤＳＣ３２において受信し、ＤＳＣ３２の位置と向きを基準として、ストロボ３４〜３７と発信器３８の各々の位置および向きを計算する。被写体３１を撮影したら、計算されたストロボ３４〜３７と発信器３８の各々の位置と向きを示す情報を、その撮影画像ファイル内に記録する。【選択図】図１
2006054701.tif 000002
【特許請求の範囲】
【請求項１】
電子カメラにより、
被写体の周囲に配置された撮影用機材の配置情報を取得し、
前記被写体を撮影して画像データを作成し、
前記取得した配置情報を前記画像データと関連付けて記録することを特徴とする撮影用機材の配置記録方法。
【請求項２】
電子カメラにより、
請求項１の撮影用機材の配置記録方法によって前記画像データと関連付けて記録された配置情報を読み込み、
被写体の周囲に配置された撮影用機材の配置情報を取得し、
前記読み込んだ配置情報と、前記取得した配置情報とを比較し、
前記比較の結果に基づいて、前記撮影用機材の配置状態に対する指示を出力することを特徴とする撮影用機材の配置指示方法。
【請求項３】
コンピュータにより、
請求項１の撮影用機材の配置記録方法によって前記画像データと関連付けて記録された配置情報を読み込み、
読み込んだ配置情報に基づいて、前記撮影用機材の配置状態をモニタに画面表示することを特徴とする撮影用機材の配置表示方法。
【請求項４】
被写体の周囲に配置された撮影用機材の配置情報を取得する配置情報取得手段と、
前記被写体を撮影して画像データを作成する撮影手段と、
前記配置情報取得手段により取得された配置情報を、前記撮影手段により作成された画像データと関連付けて記録する配置情報記録手段とを備えることを特徴とする電子カメラ。
【請求項５】
請求項４の電子カメラにおいて、
前記配置情報取得手段は、前記撮影用機材から送信される無線信号に基づいて、前記撮影用機材の配置情報を取得することを特徴とする電子カメラ。
【請求項６】
請求項４または５の電子カメラにおいて、
前記配置情報取得手段は、前記配置情報として、前記撮影用機材の位置および向きを示す情報を取得することを特徴とする電子カメラ。
【請求項７】
請求項４〜６のいずれかの電子カメラにおいて、
前記配置情報記録手段は、前記取得された配置情報を前記画像データ内に記録することにより、その配置情報をその画像データと関連付けて記録することを特徴とする電子カメラ。
【請求項８】
請求項４〜７のいずれかの電子カメラにおいて、
前記配置情報記録手段により前記画像データと関連付けて記録された配置情報を読み込む読み込み手段と、
前記配置情報取得手段により取得された配置情報と、前記読み込み手段により読み込まれた配置情報とを比較する比較手段と、
前記比較手段による比較の結果に基づいて、前記撮影用機材の配置状態に対する指示を出力する指示出力手段とをさらに備えることを特徴とする電子カメラ。
【請求項９】
請求項４〜８のいずれかの電子カメラによって前記画像データと関連付けて記録された配置情報を読み込む読み込み手段と、
前記読み込み手段により読み込まれた配置情報に基づいて、前記撮影用機材の配置状態をモニタに画面表示する表示制御手段とを備えることを特徴とする撮影用機材の配置表示装置。
【請求項１０】
請求項４〜８のいずれかの電子カメラと、
被写体の周囲に配置される撮影用機材とを備えることを特徴とする撮影システム。
【発明の詳細な説明】
【技術分野】
【０００１】
本発明は、カメラの撮影時に用いる各種の撮影用機材の位置情報を取得する技術に関する。
【背景技術】
【０００２】
カメラの撮影画像ファイル内に種々の撮影情報を記録するための画像データの形式として、社団法人  電子情報技術産業協会（ＪＥＩＴＡ）により、Ｅｘｉｆ（Exchangeable image file format）と呼ばれる画像データ形式が規格化されている。このＥｘｉｆ形式の画像ファイルを用いて、ファイル名、撮影に使用したカメラの機種、撮影日時、撮影条件を表す各種情報（たとえば、シャッタースピード、絞り値、画質モード（画像データの圧縮率）、感度、露出プログラムのモード、測光方式、ホワイトバランスのモード、フォーカスのモード、シャープネスのモード、焦点距離、露出補正値、ストロボのオンオフ、ストロボ補正値、マクロモードのオンオフなど）等の撮影情報をカメラにおいて撮影時に画像ファイル内に自動的に記録し、その撮影情報に基づいてユーザに画像印刷などのサービスを提供するシステムが知られている（特許文献１）。
【０００３】
【特許文献１】特開２００４−０４８６９９号公報
【発明の開示】
【発明が解決しようとする課題】
【０００４】
撮影において、カメラ本体とは別の位置に設置された各種の撮影用機材が用いられる場合がある。たとえば、撮影時の照明状態を調節するために、ストロボやレフ板、撮影用アンブレラなどの撮影用機材が用いられる。しかし特許文献１の装置では、こうした撮影用機材の配置状態をカメラにおいて取得することができないため、画像ファイル内に撮影情報としては記録できない。したがって、撮影用機材の配置状態の記録は撮影とは別に行う必要があり、手間がかかっている。
【課題を解決するための手段】
【０００５】
請求項１の発明による撮影用機材の配置記録方法は、電子カメラにより、被写体の周囲に配置された撮影用機材の配置情報を取得し、被写体を撮影して画像データを作成し、取得した配置情報を画像データと関連付けて記録するものである。
請求項２の発明による撮影用機材の配置指示方法は、電子カメラにより、請求項１の撮影用機材の配置記録方法によって画像データと関連付けて記録された配置情報を読み込み、被写体の周囲に配置された撮影用機材の配置情報を取得し、読み込んだ配置情報と、取得した配置情報とを比較し、その比較の結果に基づいて、撮影用機材の配置状態に対する指示を出力するものである。
請求項３の発明による撮影用機材の配置表示方法は、コンピュータにより、請求項１の撮影用機材の配置記録方法によって画像データと関連付けて記録された配置情報を読み込み、読み込んだ配置情報に基づいて、撮影用機材の配置状態をモニタに画面表示するものである。
請求項４の発明による電子カメラは、被写体の周囲に配置された撮影用機材の配置情報を取得する配置情報取得手段と、被写体を撮影して画像データを作成する撮影手段と、配置情報取得手段により取得された配置情報を、撮影手段により作成された画像データと関連付けて記録する配置情報記録手段とを備えるものである。
請求項５の発明は、請求項４の電子カメラにおいて、配置情報取得手段は、撮影用機材から送信される無線信号に基づいて、撮影用機材の配置情報を取得するものである。
請求項６の発明は、請求項４または５の電子カメラにおいて、配置情報取得手段は、配置情報として、撮影用機材の位置および向きを示す情報を取得するものである。
請求項７の発明は、請求項４〜６のいずれかの電子カメラにおいて、配置情報記録手段は、取得された配置情報を画像データ内に記録することにより、その配置情報をその画像データと関連付けて記録するものである。
請求項８の発明は、請求項４〜７のいずれかの電子カメラにおいて、配置情報記録手段により画像データと関連付けて記録された配置情報を読み込む読み込み手段と、配置情報取得手段により取得された配置情報と、読み込み手段により読み込まれた配置情報とを比較する比較手段と、比較手段による比較の結果に基づいて、撮影用機材の配置状態に対する指示を出力する指示出力手段とをさらに備えるものである。
請求項９の発明による撮影用機材の配置表示装置は、請求項４〜８のいずれかの電子カメラによって画像データと関連付けて記録された配置情報を読み込む読み込み手段と、読み込み手段により読み込まれた配置情報に基づいて、撮影用機材の配置状態をモニタに画面表示する表示制御手段とを備えるものである。
請求項１０の発明による撮影システムは、請求項４〜８のいずれかの電子カメラと、被写体の周囲に配置される撮影用機材とを備えるものである。
【発明の効果】
【０００６】
本発明によれば、被写体の周囲に配置された撮影用機材の配置情報を取得し、被写体を撮影して画像データを作成し、取得した配置情報をその画像データと関連付けて記録することとした。このようにしたので、撮影用機材の配置状態の記録を撮影と同時に行うことができ、記録の手間を省くことができる。
【発明を実施するための最良の形態】
【０００７】
本発明の一実施形態による撮影システムを用いた撮影の様子を図１に示す。図１は、被写体３１を室内で撮影する様子を示している。この撮影システムは、電子式デジタルスチルカメラ（以下、ＤＳＣと称する）３２と、ストロボ３３、３４、３５、３６および３７と、発信器３８と、パソコン３９によって構成されている。
【０００８】
図１の撮影システムにおいて、ストロボ３３はＤＳＣ３２に備え付けられている。ストロボ３４〜３７は、それぞれＤＳＣ３２とは離れて設置されており、被写体３１の周囲に配置されている。ＤＳＣ３２から離れて設置されているストロボ３４〜３７は、図示しない発信器をそれぞれに内蔵しており、自身の配置状態を特定するための無線信号をＤＳＣ３２に対して送信する。
【０００９】
発信器３８は、被写体３１に備え付けられている。発信器３８には向きが設定されており、その向きが被写体３１の向きに対して予め決められた関係となるように、被写体３１に設置されている。たとえば、発信器３８に設定されている正面の向きと、被写体３１の正面の向きとが同じ方向となるように、発信器３８が被写体３１に設置される。なお、図１では発信器３８を分かりやすい位置に図示しているが、実際に設置する際には、被写体３１を撮影するときに邪魔にならないような位置とすることが好ましい。この発信器３８は、ストロボ３４〜３７に内蔵されている前述の発信器と同様の機能を有しており、自身の配置状態を特定するための無線信号をＤＳＣ３２に対して送信する。
【００１０】
ストロボ３４〜３７の各々と発信器３８から送信される無線信号をＤＳＣ３２において受信すると、ＤＳＣ３２の位置と向きを基準として、ストロボ３４〜３７と発信器３８の各々の位置および向きが計算される。このときの具体的な計算方法については後で説明する。発信器３８の位置が計算されることにより、被写体３１の位置が特定される。また、発信器３８の向きが計算されることにより、前述したように予め決められている発信器３８と被写体３１の向きの関係から、被写体３１の向きが特定される。なお、ストロボ３３の位置と向きはＤＳＣ３２と同じであるため、計算する必要はない。このようにして、撮影時における被写体３１と各ストロボ３４〜３７の配置状態が求められる。
【００１１】
ＤＳＣ３２において被写体３１とストロボ３４〜３７の位置および向きが求められた後に、ユーザがＤＳＣ３２の図示しないシャッターボタンを押すと、ＤＳＣ３２からの制御により予め設定された発光量でストロボ３３〜３７がそれぞれ発光し、被写体３１が撮影される。この撮影画像のデータは、ＤＳＣ３２において撮影画像ファイルとして記録される。このとき、ＤＳＣ３２にセットされた各種のリムーバブル記憶装置などに撮影画像ファイルが記録される。
【００１２】
撮影によって取得された撮影画像ファイルは、ＤＳＣ３２においてＥｘｉｆと呼ばれる所定のフォーマットで記録される。このＥｘｉｆフォーマットは、社団法人  電子情報技術産業協会（ＪＥＩＴＡ）によって規格化されている周知の画像フォーマットである。Ｅｘｉｆフォーマットでは、撮影画像データ以外にも様々な撮影情報がメタデータとして撮影画像ファイル内に記録される。たとえば、撮影日時や各種撮影条件（シャッタースピード、絞り値、各ストロボの発光量など）等がＥｘｉｆフォーマットによって撮影画像ファイル内に記録される。
【００１３】
図１の撮影システムは、上記に説明したＥｘｉｆフォーマットを用いて、撮影前にＤＳＣ３２において計算された被写体３１とストロボ３４〜３７の各々の位置と向きを示す情報を、メタデータとして他の撮影情報と一緒に撮影画像ファイル内に記録する。すなわち、被写体３１や撮影システムを構成する各撮影用機材の各々の配置情報が、撮影画像ファイルの画像データと関連付けて記録される。こうして各撮影用機材の配置情報が記録された撮影画像ファイルは、ＤＳＣ３２からリムーバブル記憶装置を取り外してパソコン３９にセットしたり、無線あるいは有線通信によってＤＳＣ３２からパソコン３９へ出力したりするなどの方法により、パソコン３９において読み込まれる。
【００１４】
パソコン３９において撮影画像ファイルが読み込まれると、図２に示すような撮影システムの配置状態を示す画面（配置画面）がパソコン３９の表示モニタに表示される。この配置画面では、撮影時における図１の被写体３１、ＤＳＣ３２およびストロボ３３〜３７の位置と向きが、それぞれのシンボルマークを用いてステージ３０上に表示されている。なお、図２では各シンボルマークを図１と同一の符号を用いて表している。すなわち、たとえば図２の符号３１に示すシンボルマークは、図１の被写体３１の位置と向きを表している。以下の説明では、このシンボルマーク３１を被写体マーク３１と称する。同様に、その他のシンボルマークをＤＳＣマーク３２およびストロボマーク３３〜３７と称する。
【００１５】
配置画面の右側には、撮影画像を表示するための表示枠４０が設けられている。この表示枠４０に表示される撮影画像は、図１の撮影システムを用いて被写体３１を撮影して得られたものである。なおステージ３０は、平面方向だけでなく上下方向にも描かれており、被写体３１や撮影システムを構成する各撮影用機材の互いの位置関係を分かりやすくするためにグリッド線が表示されている。ＤＳＣマーク３２は、グリッド線が直交する位置に配置されている。グリッド線の１マスの間隔は所定の距離、たとえば１マスあたり２ｍの距離を示している。これにより、ユーザは図２の配置画面によって、図１におけるＤＳＣ３２から被写体３１やストロボ３３〜３７までの実際の距離が分かる。
【００１６】
図２の配置画面における各シンボルマークの位置と向きは、前述したようにして撮影画像ファイル中に記録された各機材の位置と向きの情報によって決定される。すなわち、ＤＳＣ３２に記録された撮影画像ファイルがパソコン３９に読み込まれると、初めにＤＳＣマーク３２とストロボマーク３３が所定の位置と向きで表示される。その後、ＤＳＣマーク３２の位置と向きを基準として、撮影画像ファイルに記録された位置と向きで、被写体マーク３１とストロボマーク３４〜３７がそれぞれ表示される。これにより、ユーザは撮影時に特別な操作を行わなくても、図１の撮影システムの各撮影用機材の配置状態をパソコン３９の配置画面上で確認することができる。
【００１７】
なお、図１のストロボ３４〜３７の位置を様々に変化させて撮影された複数の撮像画像ファイルがパソコン３９に読み込まれている場合には、図２の配置画面におけるストロボマーク３４〜３７の位置に応じて、表示枠４０に表示される撮影画像を切り替えるようにしてもよい。すなわち、ユーザがパソコン３９を操作することで、ストロボマーク３４〜３７の位置を撮影画像が取得されている範囲内で動かすことができるようにする。そして、ユーザの操作によってストロボマーク３４〜３７の位置が決定されると、その配置状態で撮影された撮像画像が表示枠４０に表示される。
【００１８】
上記と同様に、図１において被写体３１の位置を変化させたときや、ストロボ３３〜３７の発光状態を変化させたときの撮像画像も、パソコン３９の操作により図２の配置画面における被写体マーク３１の位置を変化させたり、ストロボマーク３３〜３７の発光状態を変化させたりすることで、表示枠４０に切り替え表示されるようにすることができる。なお、図２の配置画面においてストロボマーク３３〜３７の発光状態を変化させる場合、たとえばストロボマーク３３〜３７のいずれかをクリックすると、クリックしたストロボマークの発光をオンまたはオフに変化させることができる。
【００１９】
また、図２の配置画面においてＤＳＣマーク３２の位置や向きを動かすと、それに応じて被写体マーク３１やストロボマーク３３〜３７の位置や向きが変化するようにしてもよい。このようにすると、ユーザの好みのアングルで配置画面を表示することができる。さらに必要に応じて、画面全体を回転したり拡大縮小したりできるようにしてもよい。
【００２０】
次に、ストロボ３４〜３７の各々と発信器３８から送信される無線信号により、ＤＳＣ３２の位置と向きを基準として、ストロボ３４〜３７と発信器３８の各々の位置および向きを計算する方法について説明する。図３は、ストロボ３４を例とした計算方法の説明図である。図３に示すように、ＤＳＣ３２には４つの受信点３２ａ、３２ｂ、３２ｃおよび３２ｄが設けられている。また、ストロボ３４には２つの送信点３４ａおよび３４ｂが設けられている。
【００２１】
ストロボ３４の送信点３４ａから送信される無線信号には、送信時間情報が含まれている。この無線信号は、ＤＳＣ３２の各受信点３２ａ〜３２ｄにおいてそれぞれ受信され、送信から受信までの時間が検出される。検出された送受信時間に基づいて、送信点３４ａから各受信点３２ａ〜３２ｄまでの距離がそれぞれ求められる。ここで、各受信点３２ａ〜３２ｄの位置関係は予め決まっているので、求められた距離によって送信点３４ａの各受信点３２ａ〜３２ｄに対する位置を算出することができる。
【００２２】
なお、ストロボ３４の時計とＤＳＣ３２の時計にずれがあったとしても、上記のように４つの受信点３２ａ〜３２ｄにおいて送信点３４ａとの距離を求めることで、この時計のずれ時間も求めることができる。すなわち、４つの受信点３２ａ〜３２ｄにおいて検出された送受信時間から、４つの方程式を立てることができる。それによって、ＤＳＣ３２に対する送信点３４ａの位置座標（Ｘ，Ｙ，Ｚ）とずれ時間Ｔの合計４つの変数を求めることができる。
【００２３】
以上説明したようにして各受信点３２ａ〜３２ｄに対する送信点３４ａの位置を算出することにより、ＤＳＣ３２に対するストロボ３４の位置が計算される。しかしこれだけでは、ストロボ３４の向きを計算することができない。そこで、ストロボ３４における送信点３４ａともう１つの送信点３４ｂとの位置関係を予め決めておく。たとえば、送信点３４ｂから見た送信点３４ａの向きがストロボ３４の正面方向（すなわち、光軸方向）となるように、両送信点の位置関係を設定しておく。そして、送信点３４ｂについても送信点３４ａと同様にして、各受信点３２ａ〜３２ｄに対する位置を算出する。このようにして２つの送信点３４ａおよび３４ｂの位置を求めると、上記のように予め決められた両者の位置関係によって、ＤＳＣ３２に対するストロボ３４の向きを計算することができる。
【００２４】
ストロボ３５〜３７と発信器３８についても、上記に説明したストロボ３４と同様にして、ＤＳＣ３２に対する各々の位置および向きを計算することができる。なお、このときどの無線信号がどのストロボまたは発信器から送信されているのかＤＳＣ３２において分かるように、機種情報や製造シリアル番号の情報などを無線信号に含めるようにすることが好ましい。さらに、同一の機材でも送信点によって異なる無線信号を送信するようにすれば、向きの特定を容易に行うことができる。
【００２５】
図１の撮影システムにおいて、撮影時にＤＳＣ３２により実行される処理のフローチャートを図４に示す。ステップＳ１では、使用する撮影用機材を設定する。ここでは、図１のストロボ３３〜３７と発信器３８を使用することを設定する。このとき、ストロボ３３はＤＳＣ３２に備え付けられているものとして、また発信器３８は被写体３１の位置および向きを表すものとして、それぞれ設定される。なお、パソコン３９については撮影用機材として設定する必要はない。
【００２６】
ステップＳ２では、ストロボ３４〜３７または発信器３８のいずれかの撮影用機材からの無線信号を受信したか否かを判定する。なお、ストロボ３４〜３７および発信器３８からは、前述したような無線信号が一定時間ごとに送信されているものとする。無線信号を受信した場合はステップＳ３へ進み、受信しなかった場合はステップＳ５へ進む。
【００２７】
ステップＳ３では、ステップＳ２において無線信号を受信した撮影用機材について、ＤＳＣ３２に対する位置および向きを算出する。このとき、前述したような計算方法が用いられる。次のステップＳ４では、ステップＳ３において算出された位置および向きにより、当該撮影用機材のそれまでの位置と向きの算出結果を更新する。なお、前回と同じ算出結果であった場合には、更新しなくてもよい。ステップＳ２〜Ｓ４の処理を各撮影用機材について実行することにより、各撮影用機材の最新の位置および向きが求められる。
【００２８】
ステップＳ５では、全ての撮影用機材の位置と向きを算出したか否かを判定する。これまでに実行したステップＳ２〜Ｓ４の処理により、ステップＳ１において設定された撮影用機材の全てについて位置および向きを算出済みである場合は、ステップＳ７へ進む。一方、算出済みでない撮影用機材がある場合は、ステップＳ６へ進む。ステップＳ６では、ＤＳＣ３２の図示しない表示画面にエラーメッセージを表示し、位置と向きがまだ算出されていない撮影用機材があることをユーザに通知する。ステップＳ６を実行した後は、ステップＳ７へ進む。
【００２９】
ステップＳ７では、ＤＳＣ３２のシャッターボタンが押されたか否かを判定する。シャッターボタンが押された場合はステップＳ８へ進み、ステップＳ８において被写体３１を撮影する。次のステップＳ９では、ステップＳ８の撮影によって生成された撮影画像ファイル内に、ステップＳ４で更新された各撮影用機材の最新の位置と向きの算出結果を記録する。この撮影画像ファイルの記録には、前述したようにＥｘｉｆフォーマットが用いられる。ステップＳ９を実行したら、ステップＳ２へ戻る。一方、ステップＳ７においてシャッターボタンが押されていないと判定した場合は、ステップＳ８、Ｓ９を実行せずにステップＳ２へ戻る。以上説明したようにして、図１の撮影システムにおいて各撮影用機材の配置情報がＤＳＣ３２によって取得され、撮影画像ファイル内に記録される。
【００３０】
次に、撮影画像ファイル内に記録された配置情報から、撮影システムの各撮影用機材の配置状態を再現する方法について説明する。上記に説明したように、図１の撮影システムによって取得された各撮影用機材の配置状態の情報が撮影画像ファイル内に記録される。この撮影画像ファイルを別の撮影システムのＤＳＣに読み込ませると、その撮影システムの各撮影用機材をユーザが配置するときに、図１の配置状態を再現するようにユーザに対して位置や向きを指示する。ユーザは、この指示に従って各撮影用機材の位置や向きを決定することにより、簡単に図１の配置状態を再現することができる。これを利用することにより、たとえばインターネットなどからダウンロードしたサンプル撮影画像における各撮影用機材の配置状態を再現して、誰でも簡単にサンプル撮影画像と同様の撮影をすることができる。
【００３１】
図１の撮影システムにおいて、上記のように撮影画像ファイルを読み込んで各撮影用機材の配置状態を再現するときに、ＤＳＣ３２により実行されるフローチャートを図５に示す。ステップＳ１１では、撮影画像ファイルを読み込む。このとき、たとえばパソコン３９から各種のリムーバブル記憶装置に撮影画像ファイルが記録され、そのリムーバブル記憶装置がＤＳＣ３２にセットされることにより、ＤＳＣ３２において撮影画像ファイルが読み込まれる。
【００３２】
ステップＳ１２では、ステップＳ１１で読み込んだ撮影画像ファイル内に、その位置および向きが記録されている撮影用機材のいずれかを選択する。ここでは、ストロボ３４〜３７または発信器３８のいずれかを選択する。このとき、既に選択済みの撮影用機材がある場合は、その撮影用機材を選択対象から除く。ステップＳ１３では、ステップＳ１２で選択された撮影用機材からの無線信号を受信したか否かを判定する。その撮影用機材からの無線信号を受信した場合はステップＳ１４へ進み、受信しなかった場合は受信するまでステップＳ１３を繰り返し実行する。ステップＳ１４では、ステップＳ１３において無線信号を受信した撮影用機材について、図４のステップＳ３と同様に、ＤＳＣ３２に対する位置および向きを前述したような計算方法により算出する。
【００３３】
ステップＳ１５では、ステップＳ１４で算出した位置および向きが、ステップＳ１１で読み込んだ撮影画像ファイル内に記録されている位置と向きに合っているか否かを判定する。位置と向きがともに合っている場合、すなわち算出された位置および向きと、撮影画像ファイル内に記録されている位置および向きとが一致している場合は、ステップＳ１６へ進む。ステップＳ１６では、ＤＳＣ３２の図示しない表示画面にＯＫメッセージを表示し、その撮影用機材の位置と向きが合っていることをユーザに通知する。
【００３４】
ステップＳ１７では、それまで実行したステップＳ１２により、ステップＳ１１で読み込んだ撮影画像ファイルにおいて位置と向きの情報が記録されている全ての撮影用機材を選択済みであるか否かを判定する。全ての撮影用機材、すなわちストロボ３４〜３７および発信器３８を全て選択済みである場合は、図５の処理フローを終了する。まだ選択していない撮影用機材がある場合は、ステップＳ１２へ戻って撮影用機材を選択し直した後、上記に説明したような処理をその撮影用機材に対して実行する。
【００３５】
一方ステップＳ１５において、ステップＳ１４で算出した位置および向きと、ステップＳ１１で読み込んだ撮影画像ファイル内に記録されている位置および向きとのいずれか少なくとも一方が合っていないと判定された場合、ステップＳ１８へ進む。ステップＳ１８では、位置と向きの変化指示量を算出する。このとき算出される変化指示量は、ステップＳ１４の算出値と撮影画像ファイル内に記録されている値との差分に対して符号を逆転したものに等しい。すなわち、算出値と撮影画像ファイル内の記録値との差分をゼロとするような値が、変化指示量として算出される。
【００３６】
ステップＳ１９では、ステップＳ１８において算出した変化指示量を出力する。このとき、ＤＳＣ３２の図示しない表示画面に変化指示量を表示してもよいし、あるいはＤＳＣ３２から離れた位置で撮影用機材を動かしているユーザにも分かるように、変化指示量を音声出力してもよい。ステップＳ１９を実行したら、ステップＳ１３へ戻って再びその撮影用機材からの無線信号を受信し、上記の処理を繰り返す。以上説明したようにして、ＤＳＣ３２において読み込んだ撮影画像ファイル内に記録されている各撮影用機材の配置情報により、図１の配置状態を再現するように各撮影用機材の配置状態に対する指示をＤＳＣ３２から出力することができる。
【００３７】
以上説明した実施の形態によれば、次の作用効果を奏する。
（１）被写体３１の周囲に配置された各撮影用機材の配置情報をＤＳＣ３２において取得して（ステップＳ３、Ｓ４）、被写体３１を撮影し（ステップＳ８）、得られた撮影画像ファイル内にその配置情報を記録することにより、取得した配置情報を画像データと関連付けて記録することとした（ステップＳ９）。このようにしたので、撮影用機材の配置状態の記録を撮影と同時に行うことができ、記録の手間を省くことができる。
【００３８】
（２）また、各撮影用機材からそれぞれ送信される無線信号に基づいて、各撮影用機材の配置情報を取得することとしたので、ＤＳＣ３２と各撮影用機材とを配線しなくても配置情報を取得することができる。
【００３９】
（３）さらに、各撮影用機材の配置情報として、それぞれの位置および向きを示す情報を取得することとしたので、各撮影用機材の配置状態を正確に表している配置情報を取得することができる。
【００４０】
（４）各撮影用機材の配置状態が記録された撮影画像ファイルをＤＳＣ３２において読み込み（ステップＳ１１）、被写体３１の周囲に配置された各撮影用機材の配置情報を取得して（ステップＳ１４）、読み込んだ撮影画像ファイル内に記録されている配置情報と、取得した配置情報とを比較する（ステップＳ１５）。この比較結果に基づいて、各撮影用機材の配置状態に対する指示を出力することとした（ステップＳ１８、Ｓ１９）。このようにしたので、撮影画像における各撮影用機材の配置状態を簡単に再現できる。
【００４１】
（５）撮影システムの各撮影用機材の配置状態が記録された撮影画像ファイルをパソコン３９において読み込み、その撮影画像ファイル内に記録されている配置情報に基づいて、各撮影用機材の配置状態をパソコン３９のモニタに画面表示することとした。このようにしたので、撮影画像をパソコンの画面上で確認するときに、同時にその撮影画像を撮影したときの撮影システムの各撮影用機材の配置状態を画面上で確認することができる。
【００４２】
なお、上記の実施の形態では、図１の撮影システムによって実際に撮影されたときの撮影画像内に記録された各撮影用機材の配置情報により、図１の配置状態を再現することとした。しかし、実際の撮影時における各撮影用機材の配置状態を再現するのではなく、パソコン上で設定された配置状態を再現するようにしてもよい。この場合、パソコンでは設定された配置状態に応じて、撮影画像を模擬した画像を生成して表示するようにしてもよい。このとき、周知の配光シミュレーション方法を用いて計算されたコンピュータグラフィックス画像などを使用することができる。こうしてパソコン上で生成された画像ファイル内に設定された各撮影用機材の配置状態を記録し、その画像ファイルをＤＳＣに読み込ませることにより、上記の実施の形態で説明したのと同様にして、設定された配置状態を再現することができる。
【００４３】
また、上記の実施の形態では、各撮影用機材からＤＳＣに対して送信時間情報を無線信号として送信することにより、各撮影用機材の位置と向きを算出する例を説明した。しかし、これ以外の方法によって各撮影用機材の位置と向きを求めてもよい。たとえば、ＧＰＳ受信機やジャイロ、地磁気センサなどを用いて、各撮影用機材が自身の位置と向きをそれぞれに求め、その情報をＤＳＣに対して送信するようにしてもよい。さらに、上記の実施の形態では各撮影用機材からＤＳＣに対して一定時間ごとに無線信号を送信することとしていたが、ＤＳＣからの要求に応じて撮影用機材ごとに無線信号を送信するようにしてもよい。
【００４４】
上記の実施の形態では、図２の配置画面においてグリッド線により各撮影用機材の互いの位置関係を示していたが、これ以外の表示方法を用いてもよい。たとえば、ＤＳＣを中心として一定距離間隔で同心円を表示することで、互いの位置関係を示してもよい。また、屋外で撮影された撮影画像ファイルにより配置画面を表示する場合などは、撮影画像ファイル内に記録されている日時情報に基づいて太陽や影などを表示することで、撮影時の様子をより一層分かりやすく表示することもできる。
【００４５】
上記の実施の形態では、ストロボと被写体について配置情報を取得する例を説明したが、これ以外の撮影用機材についても同様の方法で配置情報を取得することができる。たとえば、撮影時に用いる各種照明装置や、撮影用のレフ板、アンブレラなどについても、同様にして配置情報を取得することができる。この場合、各撮影用機材は上記実施形態のストロボ３４〜３７のように発信器を予め内蔵していてもよいし、あるいは被写体３１に発信器３８を取り付けたように、外部に発信器を取り付けてもよい。なお、各撮影用機材の外部に共通の発信器を取り付けた場合などにおいて、無線信号に含まれる情報によっては撮影用機材の種類を特定できないときには、配置情報を撮影画像ファイルに記録する前にＤＳＣにおいて種類を設定したり、後からパソコンにおいて種類を設定したりするようにしてもよい。さらに、室外から入射される照明光など、配置情報として取得できないものについては、後から図２の配置画面においてパソコン上で設定し、撮影画像ファイル内に記録するようにしてもよい。
【００４６】
上記の実施の形態において説明した内容はあくまで一例であって、本発明はこの内容に限定されるものではない。本発明の技術的思想の範囲内で考えられるその他の態様も、本発明の範囲内に含まれる。
【図面の簡単な説明】
【００４７】
【図１】本発明の一実施形態による撮影システムを用いた撮影の様子を示す図である。
【図２】パソコンに表示される配置画面を示す図である。
【図３】無線信号により位置および向きを計算する方法を説明するための図である。
【図４】撮影時にＤＳＣによって実行される処理を示すフローチャートである。
【図５】撮影画像ファイルを読み込んで各撮影用機材の配置状態を再現するときに、ＤＳＣによって実行される処理を示すフローチャートである。
【符号の説明】
【００４８】
３１：被写体
３２：ＤＳＣ（電子式デジタルスチルカメラ）
３３〜３７：ストロボ
３８：発信器
３９：パソコン
【図１】
2006054701.tif 000003
【図２】
2006054701.tif 000004
【図３】
2006054701.tif 000005
【図４】
2006054701.tif 000006
【図５】
2006054701.tif 000007
【手続補正書】
【提出日】平成16年8月12日(2004.8.12)
【手続補正１】
【補正対象書類名】図面
【補正対象項目名】図１
【補正方法】変更
【補正の内容】
【図１】
2006054701.tif 000008